(57)【要約】    【課題】  単相や三相などの異なる相数でも共通に使用することができるボビン構造を提供する。    【解決手段】  単相用相間セパレータ片41ａ，41ｂを、それぞれ上下からボビン20を挟み込むようにして、端部46を相間バリア25に設けられた案内溝35に嵌挿することにより、ボビン20に装着される。このとき、単相用相間セパレータ41は、被嵌合溝45が、相間バリア25を基準として角度180度の位置に設けられた突起部40と嵌合する位置で装着される。三相用の場合は、Ｙ字状に枝分かれした三相用相間セパレータが、相間バリア25を基準として角度120度の位置に設けられた突起部40と、相間バリア25を基準として角度240度の位置に設けられた突起部40とに、それぞれ嵌合する位置で装着される。【選択図】  図１
2005276995.tif 000002
【特許請求の範囲】
【請求項１】
ボビンに巻き回された巻線の相間を分割する分割部と、前記巻線の相間に介在する空間を仕切る仕切体とを備えたボビン構造において、前記分割部のうち一の分割部と前記ボビンとを一体に形成し、前記ボビンに前記一の分割部を基準として所定の角度で突起部を備え、前記分割部のうち他の分割部を前記ボビンとは別体に形成し、前記他の分割部に前記突起部と嵌合する被嵌合部を設け、前記他の分割部と前記仕切体とを連結した分割仕切体を、前記ボビンに装着するよう構成したことを特徴とするボビン構造。
【請求項２】
前記突起部が前記分割部の間で均等な間隔毎に設けられていることを特徴とする請求項１記載のボビン構造。
【発明の詳細な説明】
【技術分野】
【０００１】
本発明は、電子機器のノイズを抑制するためのコモンモード・チョークコイルなどに使用されるコアのボビン構造に関する。
【背景技術】
【０００２】
電子機器のコモンモードノイズを抑制するために、特許文献１に開示されるようなコモンモード・チョークコイルが広く用いられている。コモンモード・チョークコイルは、トロイダルコアなどのドーナツ状（厚みのある環状）のコアを絶縁部材で覆うことで形成されたボビンに、複数の巻線を巻き回したものであり、該ボビンには巻線（単相，三相）の相間を分離，絶縁するための相間バリアや仕切板などの相間絶縁部材が設けられる。
【０００３】
図７は、このような従来のボビン構造を示す分解斜視図である。同図において、１は、磁性体を焼成して形成されるドーナツ状のコアである。２は、絶縁性を有する例えば樹脂材料などからなる環状の底部３を有する二重円筒状のコア収容体であり、コア１の形状に合わせて凹部４が設けられ、コア収容体２の側周面を形成する外壁５と内壁６とは、凹部４の開口端部において内側が段違いになるよう厚みを薄くした被嵌合部７ａ，７ｂが形成されている。10は、コア収容体２と同様に、絶縁性を有する例えば樹脂材料などからなる環状の天井部11を有する二重円筒状の蓋体であり、コア１の形状に合わせて凹部12が設けられ、蓋体10の側周面を形成する外壁13と内壁14とは、凹部12の開口端部において外側が段違いになるよう厚みを薄くした嵌合部15ａ，15ｂが形成されている。コア収容体２の被嵌合部７ａ，７ｂと蓋体10の嵌合部15ａ，15ｂとは嵌合するよう形成されており、コア収容体２と蓋体10とを嵌合させることにより、コア１を収容するボビン20を構成している。ボビン20の内部は、コア収容体２の凹部４と蓋体10の凹部12とからなる中空状のコア収容部が設けられ、該コア収容部にコア１が収まるようになっている。
【０００４】
25ａ，26ａは、ボビン20に巻き回される巻線（図示せず）の相間を分割する分割部たるコの字状の相間バリア片であり、それらの端部には凹部21がそれぞれ形成され、コア収容体２と一体に形成されている。一方、蓋体10にも、分割部としてのコの字状の相間バリア片25ｂ，26ｂが一体に形成され、それらの端部には、コア収容体２の相間バリア片25ａ，26ａ端部に設けられた凹部21と嵌合する凸部22がそれぞれ形成される。
【０００５】
図８及び図９は、組立て後のボビン20を示したものであるが、同図において、25は、相間バリア片25ａ，25ｂが嵌着した相間バリアであり、26も同様に、相間バリア片26ａ，26ｂが嵌着した相間バリアであり、それぞれボビン20に巻装されるような形となっている。相間バリア25，26の一端には、案内溝35と案内溝36とがそれぞれ対向するように設けられ、ボビン20の中心孔30を仕切る仕切体としての絶縁性を有する例えば樹脂材料で形成された扁平板状の単相用仕切板31を、案内溝35と案内溝36との間に嵌挿することにより、巻線の各相間が隔離される。
【０００６】
以上は単相の場合についての説明であるが、三相の場合には、図10に示すように、巻線の数に応じて、ボビン20を３等分する三つの相間バリア25，26，27が形成される。そして、単相の場合と同様に、相間バリア25，26，27には、案内溝35，36，37がそれぞれ設けられ、ボビン20の中心孔30を仕切る仕切体としての絶縁性を有する例えば樹脂材料で形成されたＹ形状の三相用仕切板32を、案内溝35と案内溝36と案内溝37との間に嵌挿することにより、巻線の各相間が隔離される。
【特許文献１】特開平１１−１７６６６９号公報
【発明の開示】
【発明が解決しようとする課題】
【０００７】
しかし、上記のような従来のボビン構造では、各相間バリア25，26，27はボビン20と一体に形成されているため、単相用ボビンには図９に示すように相間バリア25，26を設けた単相用コアケース（コア収容体２及び蓋体10），単相用仕切板31を、一方、三相用ボビンには図10に示すように相間バリア25，26，27を設けた三相用コアケース，三相用仕切板32を、巻線の相数に応じて個々に別部品として形成しなければならないという問題があった。さらに、巻線を折り返さずに巻き回す所謂分割巻にする場合には、ボビン20に巻くターン数を均等にするための目印を設けた分割巻用のコアケースを別途用意する必要があった。そのため、同じサイズのコア１を使用する場合でも、単相，三相などの相数や巻線の巻き方によって異なるコアケースを使用する必要があり、管理，部品単価，金型のメンテナンス等に余計な労力を必要としていた。
【０００８】
そこで本発明は上記問題点に鑑み、単相や三相などの異なる相数でも共通に使用することができるボビン構造を提供することを目的とする。
【０００９】
また別の目的として、共通の部品で分割巻にも対応したボビン構造を提供することを目的とする。
【課題を解決するための手段】
【００１０】
本発明の請求項１におけるボビン構造では、ボビンに巻き回された巻線の相間を分割する分割部と、前記巻線の相間に介在する空間を仕切る仕切体とを備えたボビン構造において、前記分割部のうち一の分割部と前記ボビンとを一体に形成し、前記ボビンに前記一の分割部を基準として所定の角度で突起部を備え、前記分割部のうち他の分割部を前記ボビンとは別体に形成し、前記他の分割部に前記突起部と嵌合する被嵌合部を設け、前記他の分割部と前記仕切体とを連結した分割仕切体を、前記ボビンに装着するよう構成している。
【００１１】
このようにすると、単相と三相とで共通して必要となる部材であるボビンと一の分割部とを一体に形成し、巻線の数に応じて分割仕切体を製作するだけでよいため、管理する部品点数が大幅に減少し、製造コストを低減することができる。また、分割仕切体を変更するだけで、単相用と三相用とを変更することができるため、部品としての汎用性を向上することができる。
【００１２】
本発明の請求項２におけるボビン構造では、請求項１記載のボビン構造を、前記突起部が前記分割部の間で均等な間隔毎に設けるよう構成している。
【００１３】
このようにすると、突起部が各分割部間を均等に分けるような間隔で設けられているので、巻線を分割巻きするときに、該突起部が目印となり、巻線のターン数を均等にすることが可能になると共に、巻線のずれを防止することができる。
【発明の効果】
【００１４】
本発明の請求項１におけるボビン構造によれば、単相や三相などの異なる相数でも共通のボビンを使用することができ、部品管理，製造管理に費やす労力や製造コストを削減することが可能になる。
【００１５】
本発明の請求項２におけるボビン構造によれば、請求項１の効果に加え、分割巻き用の目印を新たに設けなくてもよいため、共通の部品で分割巻に対応することが可能になる。
【発明を実施するための最良の形態】
【００１６】
以下、添付図面を参照しながら、本発明におけるボビン構造の好ましい実施例を、その製造方法と共に説明する。なお、従来例と同一箇所には同一符号を付し、共通する部分の説明は重複するため極力省略する。
【００１７】
図１は、本実施例におけるボビン構造を示す分解斜視図である。同図において、１は、ドーナツ状のコアである。２は、環状の底部３を有する二重円筒状のコア収容体であり、コア１の形状に合わせて凹部４が設けられ、コア収容体２の側周面を形成する外壁５と内壁６とは、凹部４の開口端部において内側が段違いになるよう厚みを薄くした被嵌合部７ａ，７ｂが形成されている。10は、コア収容体２と同様に、環状の天井部11を有する二重円筒状の蓋体であり、コア１の形状に合わせて凹部12が設けられ、蓋体10の側周面を形成する外壁13と内壁14とは、凹部12の開口端部において外側が段違いになるよう厚みを薄くした嵌合部15ａ，15ｂが形成されている。
【００１８】
25ａは、ボビン20に巻き回される巻線60（図４及び図５参照）の相間を分割する分割部たるコの字状の相間バリア片であり、それらの端部には凹部21がそれぞれ形成され、コア収容体２と一体に形成されている。一方、蓋体10にも、分割部としてのコの字状の相間バリア片25ｂが一体に形成され、それらの端部には、コア収容体２の相間バリア片25ａ端部に設けられた凹部21と嵌合する凸部22がそれぞれ形成される。40は、コア収容体２及び蓋体10の外壁５，13から放射状に突出して設けられた突起部であり、図２に示すように、相間バリア25を基準として角度６０度毎の間隔で、ボビン20を６等分するように設けられている。各突起部40は、ボビン20を等分する所定の角度毎に設けられているため、巻線60を分割巻きする際は、該突起部40を目印とすることにより、巻線60を均等に巻くことができる。さらに、ボビン20に巻装された巻線60は、突起部40により駐止されるため、ずれなく容易に巻き回すことができる。なお、突起部40は、単相（巻線数２）と三相（巻線数３）とで共用可能とするため、分割数が２と３の公倍数となる角度で設ける必要がある。本実施例では、ボビン20の巻線枠（内径）を確保する為に、ボビン20の内径部分にあたる内壁６，14には、突起部40を設けないようにしているが、内径が十分に確保されている場合であれば、突起部40を内壁６，14に設けてもよい。
【００１９】
一対の41ａ，41ｂは、分割仕切体としての単相用相間セパレータ片であり、図３で示すように、従来例（図７参照）で示した他の分割部としての相間バリア26ａ（26ｂ）と仕切体としての単相用仕切板31とをテーパ状となるよう一体形成した（連結した）形状としており、単相用相間セパレータ片41ａ端部には凹部42が形成され、一方、単相用相間セパレータ片41ｂ端部には該凹部42と嵌合する凸部43が形成される。また、単相用相間セパレータ片41ａ，41ｂには、ボビン20に設けられた突起部40と嵌合するための被嵌合溝45が設けられる。
【００２０】
次に、本実施例におけるボビン構造の組立工程について、図４及び図５を参照しながら説明する。まず、コア１をコア収容体２の凹部４に収容し、コア収容体２の被嵌合部７ａ，７ｂと蓋体10の嵌合部15ａ，15ｂとが重合すると共に、一対の相間バリア片25ａ，25ｂの凹部21と凸部22とが勘合するように蓋体10をコア収容体２に嵌着することで、ボビン20及び相間バリア25を構成する。ついで、一対の単相用相間セパレータ片41ａ，41ｂを、それぞれ上下からボビン20を挟み込むようにして対向させ、単相用相間セパレータ片41ａ，41ｂの端部46，46を相間バリア25の案内溝35へ、ボビン20の相間バリア25を基準として角度180度の位置に設けられた突起部40を相間セパレータ片41ａ，41ｂの被嵌合溝45，45へ、それぞれ嵌挿させる。そして、単相用相間セパレータ片41ａ，41ｂが互いに突き当たり、単相用相間セパレータ片41ａの凹部42と単相用相間セパレータ片41ｂの凸部43とが嵌合することで、単相用相間セパレータ片41ａと単相用相間セパレータ片41ｂとが嵌着した単相用相間セパレータ41が、ボビン20に装着される。
【００２１】
以上は単相の場合についての説明であるが、三相の場合には、相間セパレータは図６に示すような形状であり、従来例（図７参照）で示した他の分割部としての相間バリア26ａ，27ａ（26ｂ，27ｂ）と仕切体としての三相用仕切板32とをテーパ状となるよう一体形成した（連結した）形状の三相用相間セパレータ50となる。該三相用相間セパレータ50は、単相用相間セパレータ41と同様に、被嵌合溝51，52が設けられた一対の三相用相間セパレータ片50ａ，50ｂを、それぞれ上下からボビン20を挟み込むようにして、端部53を相間バリア25に設けられた案内溝35に嵌挿することにより、ボビン20に装着される。このとき、三相用相間セパレータ50は、被嵌合溝51が相間バリア25を基準として角度120度の位置に設けられた突起部40と、被嵌合溝52が相間バリア25を基準として角度240度の位置に設けられた突起部40と、それぞれ嵌合する位置で装着される。
【００２２】
以上のように本実施例では、ボビン20に巻き回された巻線60の相間を分割する分割部たる相間バリア25，26と、巻線60の相間に介在する空間たる中心孔30を仕切る仕切体たる単相用仕切板31とを備えたボビン構造において、相間バリア25，26のうち一の分割部たる相間バリア25とボビン20とを一体に形成し、ボビン20に相間バリア25を基準として所定の角度で突起部40を備え、前記分割部のうち他の分割部たる相間バリア26をボビン20とは別体に形成し、相間バリア26に突起部40と嵌合する被嵌合部たる被嵌合溝45を設け、相間バリア26と単相用仕切板31とを連結した分割仕切体たる単相用相間セパレータ41を、ボビン20に装着するよう構成している。
【００２３】
また、ボビン20に巻き回された巻線60の相間を分割する分割部たる相間バリア25，26，27と、巻線60の相間に介在する空間たる中心孔30を仕切る仕切体たる三相用仕切板32とを備えたボビン構造において、相間バリア25，26，27のうち一の分割部たる相間バリア25とボビン20とを一体に形成し、ボビン20に相間バリア25を基準として所定の角度で突起部40を備え、前記分割部のうち他の分割部たる相間バリア26，27をボビン20とは別体に形成し、相間バリア26，27に突起部40と嵌合する被嵌合部たる被嵌合溝51，52を設け、相間バリア26，27と三相用仕切板32とを連結した分割仕切体たる三相用相間セパレータ50を、ボビン20に装着するよう構成している。
【００２４】
このようにすると、単相と三相とで共通して必要となる部材であるボビン20と相間バリア25とを一体に形成し、巻線60の数に応じて単相用相間セパレータ41，三相用相間セパレータ50を製作するだけでよいため、管理する部品点数が大幅に減少し、製造コストを低減することができる。また、単相用相間セパレータ41と三相用相間セパレータ50とを変更するだけで、単相用と三相用とを変更することができるため、部品としての汎用性を向上することができる。従って、単相や三相などの異なる相数でも共通のボビン20を使用することができ、部品管理，製造管理に費やす労力や製造コストを削減することが可能になる。
【００２５】
さらに、突起部40が分割部25，26，27の間で均等な間隔毎に設けられている。
【００２６】
このようにすると、突起部40が各分割部間を均等に分けるような間隔（角度６０度毎）で設けられているので、巻線60を分割巻きするときに、該突起部40が目印となり、巻線60のターン数を均等にすることが可能になると共に、巻線60のずれを防止することができる。従って、分割巻き用の目印を新たに設けなくても、分割巻に対応することが可能になる。
【００２７】
なお、本発明は、上記実施例に限定されるものではなく、本発明の趣旨を逸脱しない範囲で変更可能である。コア１やボビン20の形状は環状に限らず、アーチ状や四角状などの形状でもよい。また、コア収容体２及び蓋体10に設けられた被嵌合部７ａ，７ｂ及び嵌合部15ａ，15ｂを一様とせず、相間バリア25に対して非対称となるように、外側と内側が互い違いに薄くなるよう形成することで、一つの部品でコア収容体２と蓋体10とを形成することができる。
【図面の簡単な説明】
【００２８】
【図１】本発明の第１実施例におけるボビン構造を有するボビンの分解斜視図である。
【図２】同上、ボビンの平面図である。
【図３】同上、単相用相間セパレータの平面図である。
【図４】同上、単相用相間セパレータ取り付け後のボビンの平面図である。
【図５】同上、単相用相間セパレータ取り付け後のボビンの側面図である。
【図６】同上、三相用相間セパレータの平面図である。
【図７】従来例におけるボビン構造を有するボビンの分解斜視図である。
【図８】同上、単相用仕切板取り付け後のボビンの側面図である。
【図９】同上、単相用仕切板取り付け後のボビンの平面図である。
【図１０】同上、三相用仕切板取り付け後のボビンの平面図である。
【符号の説明】
【００２９】
20  ボビン
25  相間バリア（一の分割部）
26，27  相間バリア（他の分割部）
30  中心孔（巻線の相間に介在する空間）
31  単相用仕切板（仕切体）
32  三相用仕切板（仕切体）
40  突起部
41  単相用相間セパレータ（分割仕切体）
45，51，52  被嵌合溝
50  三相用相間セパレータ（分割仕切体）
60  巻線
【図１】
2005276995.tif 000003
【図２】
2005276995.tif 000004
【図３】
2005276995.tif 000005
【図４】
2005276995.tif 000006
【図５】
2005276995.tif 000007
【図６】
2005276995.tif 000008
【図７】
2005276995.tif 000009
【図８】
2005276995.tif 000010
【図９】
2005276995.tif 000011
【図１０】
2005276995.tif 000012